(57)【特許請求の範囲】
【請求項１】
高速音声サービスフォールバック（ｅＣＳＦＢ）の過程中において、進化型ノードＢ（ｅＮｏｄｅＢ）は、ネットワーク側に処理の失敗が発生したことを知った時、ユーザ装置に指示メッセージを送信し、ターゲットセルにリダイレクトするように前記ユーザ装置に指示することを含み、
ユーザ装置に指示メッセージを送信し、ターゲットセルにリダイレクトするように前記ユーザ装置に指示することは、
前記ユーザ装置がＥ−ＵＴＲＡＮから１ｘＲＴＴネットワークにフォールバックする過程中及び並行するパケット交換（ＰＳ）ハンドオーバの過程中において、前記ネットワーク側がいずれも処理の失敗が発生した時、前記ｅＮｏｄｅＢは、前記ユーザ装置にＲＲＣ接続リリースメッセージを送信し、前記ＲＲＣ接続リリースメッセージ中にはターゲット１ｘＲＴＴネットワークセルのリダイレクト情報及びターゲット高速パケットデータ（ＨＲＰＤ）ネットワークセルのリダイレクト情報が含まれ、音声サービスを前記ターゲット１ｘＲＴＴネットワークセルにリダイレクトするように、ＰＳサービスを前記ターゲットＨＲＰＤネットワークセルにリダイレクトするように前記ユーザ装置に指示すること、又は、
前記ユーザ装置がＥ−ＵＴＲＡＮから１ｘＲＴＴネットワークにフォールバックする過程中においてネットワーク側に処理の失敗が発生しておらず、並行するＰＳハンドオーバの過程中において前記ネットワーク側に処理の失敗が発生した時、前記ｅＮｏｄｅＢは、ユーザ装置にＭｏｂｉｌｉｔｙ  Ｆｒｏｍ  ＥＵＴＲＡ  Ｃｏｍｍａｎｄメッセージを送信し、前記Ｍｏｂｉｌｉｔｙ  Ｆｒｏｍ  ＥＵＴＲＡ  Ｃｏｍｍａｎｄメッセージ中にはターゲットＨＲＰＤネットワークセルのリダイレクト情報及び１ｘＲＴＴネットワークの情報が含まれ、ＰＳサービスを前記ターゲットＨＲＰＤネットワークセルにリダイレクトするように、且つ継続的に現在の１ｘＲＴＴネットワーク中に音声サービスを行うように前記ユーザ装置に指示することを含む音声サービスフォールバックを実現する方法。
【請求項２】
判断ユニット及び失敗処理ユニットを備える音声サービスフォールバックを実現する装置であって、
前記判断ユニットは、高速音声サービスフォールバック（ｅＣＳＦＢ）の過程中において、ネットワーク側に処理の失敗が発生したかどうかを判断するように設置され、
前記失敗処理ユニットは、ネットワーク側に処理の失敗が発生した時、ユーザ装置に指示メッセージを送信し、ターゲットセルにリダイレクトするようにユーザ装置に指示するように設置され、
前記失敗処理ユニットは、前記ユーザ装置がＥ−ＵＴＲＡＮから１ｘＲＴＴネットワークにフォールバックする過程中及び並行するパケット交換（ＰＳ）ハンドオーバの過程中において、前記ネットワーク側がいずれも処理の失敗が発生した時、前記ユーザ装置にＲＲＣ接続リリースメッセージを送信し、前記ＲＲＣ接続リリースメッセージ中にはターゲット１ｘＲＴＴネットワークセルのリダイレクト情報及びターゲット高速パケットデータ（ＨＲＰＤ）ネットワークセルのリダイレクト情報が含まれ、音声サービスを前記ターゲット１ｘＲＴＴネットワークセルにリダイレクトするように、ＰＳサービスを前記ターゲットＨＲＰＤネットワークセルにリダイレクトするように前記ユーザ装置に指示するように設置され、又は、
前記失敗処理ユニットは、前記ユーザ装置がＥ−ＵＴＲＡＮから１ｘＲＴＴネットワークにフォールバックする過程中において前記ネットワーク側に処理の失敗が発生しておらず、並行するＰＳハンドオーバの過程中において前記ネットワーク側に処理の失敗が発生した時、前記ユーザ装置にＭｏｂｉｌｉｔｙ  Ｆｒｏｍ  ＥＵＴＲＡ  Ｃｏｍｍａｎｄメッセージを送信し、前記Ｍｏｂｉｌｉｔｙ  Ｆｒｏｍ  ＥＵＴＲＡ  Ｃｏｍｍａｎｄメッセージ中にはターゲットＨＲＰＤネットワークセルのリダイレクト情報及び１ｘＲＴＴネットワークの情報が含まれ、ＰＳサービスを前記ターゲットＨＲＰＤネットワークセルにリダイレクトするように前記ユーザ装置に指示し、且つ継続的に現在の１ｘＲＴＴネットワーク中に音声サービスを行うように設置される音声サービスフォールバックを実現する装置。
【発明の詳細な説明】
【技術分野】
【０００１】
本発明は移動通信技術分野に関し、特に音声サービスフォールバックを実現するための方法及び装置に関する。
【背景技術】
【０００２】
ＬＴＥ（Ｌｏｎｇ  Ｔｅｒｍ  Ｅｖｏｌｖｅｄ、ロングタームエボリューション）ネットワークは、いくつかの場合（例えば、ＬＴＥネットワークがＶｏＩＭＳをバックアップしない）で、音声サービスをバックアップしないため、従って、ＵＥ（Ｕｓｅｒ  Ｅｑｕｉｐｍｅｎｔ、ユーザ装置）は、音声サービスを開始する必要がある時、ＬＴＥネットワークは、ＵＥを、音声サービスをバックアップする１ｘＲＴＴ（１ｘ  Ｒａｄｉｏ  Ｔｅｌｅｃｏｍｍｕｎｉｃａｔｉｏｎ  Ｔｅｃｈｎｏｌｏｇｙ、１ｘ無線通信）ネットワークにフォールバックし、ｅＣＳＦＢ（Ｅｎｈａｎｃｅｄ  Ｃｉｒｃｕｉｔ  Ｓｗｉｔｃｈｅｄ  Ｆａｌｌｂａｃｋ、強化音声サービスフォールバック）過程と称される。この時、ＵＥは、同時にＰＳ（パケット交換）サービスが存在すると、ｅＮｏｄｅＢ（進化型ノードＢ）は、ストラテジに基づいてＵＥのＰＳサービスを同時にＨＲＰＤ（高速パケットデータ）ネットワークにハンドオーバし、この過程は、ｅＣＳＦＢ並行ＰＳハンドオーバ過程と称される。
【０００３】
ｅＣＳＦＢ過程中において、１ｘＲＴＴネットワーク又はＭＭＥ処理の失敗のため、ｅＣＳＦＢ過程の失敗をもたらす可能性があり、この時、関連する技術処理中において、ｅＮｏｄｅＢは、下りリンク直接伝送メッセージをＵＥに送信し、ｅＮｏｄｅＢは、この失敗に対していかなる処理をしない。
【０００４】
ｅＣＳＦＢ並行ＰＳハンドオーバ過程中において、ＨＲＰＤネットワーク又は１ｘＲＴＴネットワーク又はＭＭＥ処理ミスのため、ｅＣＳＦＢ並行ＰＳからＨＲＰＤにハンドオーバするプロセス処理の失敗をもたらし、この失敗の場合で、ｅＮｏｄｅＢはこの失敗に対して同様にいかなる処理をしない。
【０００５】
要約すると、関連する技術中において、ｅＮｏｄｅＢの処理は、失敗をあまり処理せず、単に失敗指示をＵＥにパススルーすることである。このような処理の欠陥は、ＵＥがＣＳ発呼を開始する持続時間を延長させ、同時にＰＳサービスが存在すると、ＰＳサービスの中断時間を延長させ、データギャップが著しく、ユーザ体験感を低下させる。
【発明の概要】
【発明が解決しようとする課題】
【０００６】
本発明の実施例は、音声サービスフォールバックを実現するための方法及び装置を提供し、音声サービスフォールバック過程中においてネットワーク側に処理の失敗が発生した時でも、ユーザはＣＳ及びＰＳサービスを行うことができる。
【課題を解決するための手段】
【０００７】
本発明の実施例による音声サービスフォールバックを実現するための方法は、
高速音声サービスフォールバック（ｅＣＳＦＢ）の過程中において、進化型ノードＢ（ｅＮｏｄｅＢ）は、ネットワーク側に処理の失敗が発生したことを知った時、ユーザ装置に指示メッセージを送信し、ユーザ装置がターゲットセルにリダイレクトするように指示することを含む。
【０００８】
好ましくは、ユーザ装置に指示メッセージを送信し、ユーザ装置がターゲットセルにリダイレクトするように指示することは、
ユーザ装置が進化型地上無線アクセスネットワーク（Ｅ−ＵＴＲＡＮ）から１ｘ無線通信（１ｘＲＴＴ）ネットワークにフォールバックする過程中において、ネットワーク側に処理の失敗が発生した時、前記ｅＮｏｄｅＢは、ユーザ装置に無線リソースコントロール（ＲＲＣ）接続リリースメッセージを送信し、ＲＲＣ接続リリースメッセージ中にターゲット１ｘＲＴＴネットワークセルのリダイレクト情報を携帯し、ユーザ装置がターゲット１ｘＲＴＴネットワークセルにリダイレクトするように指示することを含む。
【０００９】
好ましくは、ユーザ装置に指示メッセージを送信し、ユーザ装置がターゲットセルにリダイレクトするように指示することは、
ユーザ装置がＥ−ＵＴＲＡＮから１ｘＲＴＴネットワークにフォールバックする過程中及び並行パケット交換域（ＰＳ）ハンドオーバの過程中において、ネットワーク側にいずれも処理の失敗が発生した時、前記ｅＮｏｄｅＢは、ユーザ装置にＲＲＣ接続リリースメッセージを送信し、ＲＲＣ接続リリースメッセージ中にターゲット１ｘＲＴＴネットワークセルのリダイレクト情報及びターゲット高速パケットデータ（ＨＲＰＤ）ネットワークセルのリダイレクト情報を携帯し、ユーザ装置が音声サービスをターゲット１ｘＲＴＴネットワークセルにリダイレクトし、ＰＳサービスをターゲットＨＲＰＤネットワークセルにリダイレクトするように指示することを含む。
【００１０】
好ましくは、ユーザ装置に指示メッセージを送信し、ユーザ装置がターゲットセルにリダイレクトするように指示することは、
ユーザ装置がＥ−ＵＴＲＡＮから１ｘＲＴＴネットワークにフォールバックする過程中においてネットワーク側に処理の失敗が発生し、並行ＰＳハンドオーバの過程中においてネットワーク側に処理の失敗が発生していない時、前記ｅＮｏｄｅＢは、ユーザ装置にＭｏｂｉｌｉｔｙ  Ｆｒｏｍ  ＥＵＴＲＡ  Ｃｏｍｍａｎｄ（ハンドオーバコマンド）メッセージを送信し、Ｍｏｂｉｌｉｔｙ  Ｆｒｏｍ  ＥＵＴＲＡ  Ｃｏｍｍａｎｄメッセージ中にターゲット１ｘＲＴＴネットワークセルのリダイレクト情報及びＨＲＰＤネットワークの情報を携帯し、ユーザ装置が音声サービスをターゲット１ｘＲＴＴネットワークセルにリダイレクトするように指示し、且つ継続的に現在のＨＲＰＤネットワーク中においてＰＳサービスを行うことを含む。
【００１１】
好ましくは、ユーザ装置に指示メッセージを送信し、ユーザ装置がターゲットセルにリダイレクトするように指示することは、
ユーザ装置がＥ−ＵＴＲＡＮから１ｘＲＴＴネットワークにフォールバックする過程中においてネットワーク側に処理の失敗が発生しておらず、並行ＰＳハンドオーバの過程中においてネットワーク側に処理の失敗が発生した時、前記ｅＮｏｄｅＢは、ユーザ装置にＭｏｂｉｌｉｔｙ  Ｆｒｏｍ  ＥＵＴＲＡ  Ｃｏｍｍａｎｄメッセージを送信し、Ｍｏｂｉｌｉｔｙ  Ｆｒｏｍ  ＥＵＴＲＡ  Ｃｏｍｍａｎｄメッセージ中にターゲットＨＲＰＤネットワークセルのリダイレクト情報及び１ｘＲＴＴネットワークの情報を携帯し、ユーザ装置がＰＳサービスをターゲットＨＲＰＤネットワークセルにリダイレクトするように指示し、且つ継続的に現在の１ｘＲＴＴネットワーク中に音声サービスを行うことを含む。
【００１２】
本発明の実施例による音声サービスフォールバックを実現するための装置は、判断ユニット及び失敗処理ユニットを備え、
前記判断ユニットは、高速音声サービスフォールバック（ｅＣＳＦＢ）の過程中において、ネットワーク側に処理の失敗が発生したかどうかを判断するように設置され、
前記失敗処理ユニットは、ネットワーク側に処理の失敗が発生した時、ユーザ装置に指示メッセージを送信し、ユーザ装置がターゲットセルにリダイレクトするように指示するように設置される。
【００１３】
好ましくは、前記失敗処理ユニットは、ユーザ装置が進化型地上無線アクセスネットワーク（Ｅ−ＵＴＲＡＮ）から１ｘ無線通信（１ｘＲＴＴ）ネットワークにフォールバックする過程中において、ネットワーク側に処理の失敗が発生した時、ユーザ装置に無線リソースコントロール（ＲＲＣ）接続リリースメッセージを送信し、ＲＲＣ接続リリースメッセージ中にターゲット１ｘＲＴＴネットワークセルのリダイレクト情報を携帯し、ユーザ装置がターゲット１ｘＲＴＴネットワークセルにリダイレクトするように指示するように設置される。
【００１４】
好ましくは、前記失敗処理ユニットは、ユーザ装置がＥ−ＵＴＲＡＮから１ｘＲＴＴネットワークにフォールバックする過程中及び並行パケット交換域（ＰＳ）ハンドオーバの過程中において、ネットワーク側にいずれも処理の失敗が発生した時、ユーザ装置にＲＲＣ接続リリースメッセージを送信し、ＲＲＣ接続リリースメッセージ中にターゲット１ｘＲＴＴネットワークセルのリダイレクト情報及びターゲット高速パケットデータ（ＨＲＰＤ）ネットワークセルのリダイレクト情報を携帯し、ユーザ装置が音声サービスをターゲット１ｘＲＴＴネットワークセルにリダイレクトし、ＰＳサービスをターゲットＨＲＰＤネットワークセルにリダイレクトするように指示するように設置される。
【００１５】
好ましくは、前記失敗処理ユニットは、ユーザ装置がＥ−ＵＴＲＡＮから１ｘＲＴＴネットワークにフォールバックする過程中においてネットワーク側に処理の失敗が発生し、並行ＰＳハンドオーバの過程中においてネットワーク側に処理の失敗が発生していない時、ユーザ装置にＭｏｂｉｌｉｔｙ  Ｆｒｏｍ  ＥＵＴＲＡ  Ｃｏｍｍａｎｄ（ハンドオーバコマンド）メッセージを送信し、Ｍｏｂｉｌｉｔｙ  Ｆｒｏｍ  ＥＵＴＲＡ  Ｃｏｍｍａｎｄメッセージ中にターゲット１ｘＲＴＴネットワークセルのリダイレクト情報及びＨＲＰＤネットワークの情報を携帯し、ユーザ装置が音声サービスをターゲット１ｘＲＴＴネットワークセルにリダイレクトするように指示し、且つ継続的に現在のＨＲＰＤネットワーク中にＰＳサービスを行うように設置される。
【００１６】
好ましくは、前記失敗処理ユニットは、ユーザ装置がＥ−ＵＴＲＡＮから１ｘＲＴＴネットワークにフォールバックする過程中においてネットワーク側に処理の失敗が発生しておらず、並行ＰＳハンドオーバの過程中においてネットワーク側に処理の失敗が発生した時、ユーザ装置にＭｏｂｉｌｉｔｙ  Ｆｒｏｍ  ＥＵＴＲＡ  Ｃｏｍｍａｎｄメッセージを送信し、Ｍｏｂｉｌｉｔｙ  Ｆｒｏｍ  ＥＵＴＲＡ  Ｃｏｍｍａｎｄメッセージ中にターゲットＨＲＰＤネットワークセルのリダイレクト情報及び１ｘＲＴＴネットワークの情報を携帯し、ユーザ装置がＰＳサービスをターゲットＨＲＰＤネットワークセルにリダイレクトするように指示し、且つ継続的に現在の１ｘＲＴＴネットワーク中に音声サービスを行うように設置される。
【発明の効果】
【００１７】
以上のように、本発明の実施例は、処理の失敗がネットワーク側で発生したシーンの下で、リダイレクト方式によりＵＥを１ｘＲＴＴのターゲットセル（ｅＣＳＦＢプロセス）又は１ｘＲＴＴのターゲットセル及びＨＲＰＤネットワークのターゲットセル（ｅＣＳＦＢ並行ＰＳハンドオーバプロセス）にリダイレクトし、そのようなＵＥは、最高速度で音声サービスを開始することができ、同時にデータサービスギャップの持続時間は減少され、ユーザ体験を向上させ、ｅＣＳＦＢ又はｅＣＳＦＢ並行ＰＳハンドオーバプロセスを最適化する。
【図面の簡単な説明】
【００１８】
【図１】図１は、本発明による音声サービスフォールバックを実現するための方法の実施例１のフローチャートである。
【図２】図２は、本発明による音声サービスフォールバックを実現するための方法の実施例２のフローチャートである。
【図３】図３は、本発明による音声サービスフォールバックを実現するための方法の実施例３のフローチャートである。
【図４】図４は、本発明による音声サービスフォールバックを実現するための方法の実施例４のフローチャートである。
【図５】図５は、本発明の実施例による音声サービスフォールバックを実現するための装置の構造図である。
【発明を実施するための形態】
【００１９】
本実施の形態は、ネットワーク側において処理が失敗した時、ＵＥに指示メッセージを送信することにより、ＵＥがターゲットセルにリダイレクトするように指示し、ｅＣＳＦＢプロセス中において、ターゲット１ｘＲＴＴネットワークセルにリダイレクトし、ｅＣＳＦＢ並行ＰＳハンドオーバプロセス中において、ターゲット１ｘＲＴＴネットワークセル及び／又はターゲットＨＲＰＤネットワークセルにリダイレクトする。
【００２０】
以下、図面を参照しながら、本発明の実施例を詳細に説明する。ただし、矛盾がない場合、本願における実施例及び実施例における特徴は互いに任意に組み合せることができる。
実施例１
【００２１】
図１に示すように、本実施の形態によるＥ−ＵＴＲＡＮから１ｘＲＴＴネットワークへの場合、音声サービスフォールバックを実現するための方法であり、以下のステップを含む。
【００２２】
１０１：  測定に基づくｅＣＳＦＢ過程中において、ＵＥは、ｅＮｏｄｅＢに測定報告（Ｍｅａｓｕｒｅｍｅｎｔ  Ｒｅｐｏｒｔ）を報告する。
このステップは、任意選択のステップであり、ブラインドｅＣＳＦＢ過程であると、このステップは存在しない。
【００２３】
１０２：  ｅＮｏｄｅＢ方策は、ＵＥに対してＥ−ＵＴＲＡＮから１ｘＲＴＴネットワークへのｅＣＳＦＢプロセスを開始し、ＵＥにハンドオーバ準備（Ｈａｎｄｏｖｅｒ  Ｆｒｏｍ  ＥＵＴＲＡ  Ｐｒｅｐａｒａｔｉｏｎ  Ｒｅｑｕｅｓｔ）メッセージを送信する。
１０３：  ＵＥは、ｅＮｏｄｅＢの指示に基づいて発呼を開始し、ｅＮｏｄｅＢに上りリンクハンドオーバ直接伝送（ＵＬ  Ｈａｎｄｏｖｅｒ  Ｐｒｅｐａｒａｔｉｏｎ  Ｔｒａｎｓｆｅｒ）メッセージを送信する。
１０４：  ｅＮｏｄｅＢは、ＵＥの上りリンクハンドオーバ直接伝送メッセージをパススルーし、上りリンクＳ１  ＣＤＭＡ２０００トンネル直接伝送（ＵＰＬＩＮＫ  Ｓ１  ＣＤＭＡ２０００  ＴＵＮＮＥＬＩＮＧ）メッセージをＭＭＥに送信し、ｅＮｏｄｅＢは、タイマーを起動してＭＭＥの下りリンクＳ１  ＣＤＭＡ２０００トンネル直接伝送（ＤＬ  Ｓ１  ＣＤＭＡ２０００  ＴＵＮＮＥＬＩＮＧ）メッセージを待ち、タイマーがタイムアウトしてもＭＭＥの下りリンクＳ１  ＣＤＭＡ２０００トンネル直接伝送メッセージを受信していないと、直接にステップ１０８を実行する。
１０５：  ＭＭＥは、ｅＮｏｄｅＢの上りリンクＳ１  ＣＤＭＡ２０００トンネル直接伝送メッセージをパススルーし、Ｓ１０２直接伝送メッセージをＩＷＳ（Ｉｎｔｅｒｗｏｒｋｉｎｇ  ｓｏｌｕｔｉｏｎ、インタラクションを解決する）ノードに送信する。
１０６：  ＩＷＳは、ノード処理が失敗し、Ｓ１０２直接伝送メッセージ中に処理の失敗情報を含み、Ｓ１０２直接伝送メッセージをＭＭＥに送信する。
１０７：  ＭＭＥは、Ｓ１０２直接伝送メッセージをパススルーし、下りリンクＳ１  ＣＤＭＡ２０００トンネル直接伝送メッセージをｅＮｏｄｅＢに送信し、１ｘＲＴＴネットワークのリソース及び被呼リンギングレスポンスを含める。
１０８：  ｅＮｏｄｅＢは、下りリンクＳ１  ＣＤＭＡ２０００トンネル直接伝送メッセージ又はタイマーのタイムアウトメッセージによりｅＣＳＦＢ失敗を理解し、ＵＥに早めに音声サービスを開始させるために、ｅＮｏｄｅＢは、ＲＲＣ（無線リソースコントロール）接続リリース（ＲＲＣ  Ｃｏｎｎｅｃｔｉｏｎ  Ｒｅｌｅａｓｅ）メッセージを送信し、メッセージ中にターゲット１ｘＲＴＴネットワークセルのリダイレクト情報を携帯し、ＵＥを迅速にターゲット１ｘＲＴＴネットワークセルにリダイレクトする。
上記ステップ１０４〜１０７ステップにおいて、いずれか１つのステップに失敗が存在する時、ｅＮｏｄｅＢはいずれもＵＥをターゲット１ｘＲＴＴネットワークセルにリダイレクトする。
【００２４】
１０９：  ＵＥは、リダイレクト情報に基づいて、ターゲットセルにアクセスし、音声サービスを開始する。
実施例２
【００２５】
図２に示すように、本実施の形態によるＥ−ＵＴＲＡＮから１ｘＲＴＴネットワークへのｅＣＳＦＢ並行ＰＳハンドオーバの場合、音声サービスフォールバックを実現するための方法であり、以下のステップを含む。
【００２６】
２０１：  測定に基づくｅＣＳＦＢ過程中において、ＵＥは、ｅＮｏｄｅＢに測定報告（Ｍｅａｓｕｒｅｍｅｎｔ  Ｒｅｐｏｒｔ）を報告する。
このステップは、任意選択のステップであり、ブラインドｅＣＳＦＢ過程であると、このステップは存在しない。
【００２７】
２０２：  ｅＮｏｄｅＢ方策は、ＵＥに対してＥ−ＵＴＲＡＮから１ｘＲＴＴネットワークへのｅＣＳＦＢ並行ＰＳハンドオーバプロセスを開始し、ＵＥにハンドオーバ準備（Ｈａｎｄｏｖｅｒ  Ｆｒｏｍ  ＥＵＴＲＡ  Ｐｒｅｐａｒａｔｉｏｎ  Ｒｅｑｕｅｓｔ）メッセージを送信する。
２０３：  ＵＥは、Ｈａｎｄｏｖｅｒ  Ｆｒｏｍ  ＥＵＴＲＡ  Ｐｒｅｐａｒａｔｉｏｎ  Ｒｅｑｕｅｓｔメッセージ中におけるｅＮｏｄｅＢの指示に基づいて、１ｘＲＴＴネットワークに発呼メッセージを開始し、ｅＮｏｄｅＢに上りリンクハンドオーバ直接伝送（ＵＬ  Ｈａｎｄｏｖｅｒ  Ｐｒｅｐａｒａｔｉｏｎ  Ｔｒａｎｓｆｅｒ）メッセージを送信する。
２０４：  ＵＥは、Ｈａｎｄｏｖｅｒ  Ｆｒｏｍ  ＥＵＴＲＡ  Ｐｒｅｐａｒａｔｉｏｎ  Ｒｅｑｕｅｓｔメッセージ中におけるｅＮｏｄｅＢの指示に基づいて、ＨＲＰＤネットワークにハンドオーバ要求を開始し、ｅＮｏｄｅＢに上りリンクハンドオーバ直接伝送（ＵＬ  Ｈａｎｄｏｖｅｒ  Ｐｒｅｐａｒａｔｉｏｎ  Ｔｒａｎｓｆｅｒ）メッセージを送信する。
２０５：  ｅＮｏｄｅＢは、ＵＥが１ｘＲＴＴネットワークに送信した上りリンクハンドオーバ直接伝送メッセージを受信し、ｅＮｏｄｅＢは、該メッセージをパススルーし、上りリンクＳ１  ＣＤＭＡ２０００トンネル直接伝送（ＵＰＬＩＮＫ  Ｓ１  ＣＤＭＡ２０００  ＴＵＮＮＥＬＩＮＧ）メッセージをＭＭＥに送信し、ｅＮｏｄｅＢは、タイマーを起動してＭＭＥの下りリンクＳ１  ＣＤＭＡ２０００トンネル直接伝送（ＤＬ  Ｓ１  ＣＤＭＡ  ２０００  ＴＵＮＮＥＬＩＮＧ）メッセージを待つ。
２０６：  ｅＮｏｄｅＢは、ＵＥがＨＲＰＤネットワークに送信した上りリンクハンドオーバ直接伝送メッセージを受信し、ｅＮｏｄｅＢは、該メッセージをパススルーし、上りリンクＳ１  ＣＤＭＡ２０００トンネル直接伝送（ＵＰＬＩＮＫ  Ｓ１  ＣＤＭＡ２０００  ＴＵＮＮＥＬＩＮＧ）メッセージをＭＭＥに送信し、ｅＮｏｄｅＢは、タイマーを起動してＭＭＥの下りリンクＳ１  ＣＤＭＡ２０００トンネル直接伝送（ＤＬ  Ｓ１  ＣＤＭＡ２０００  ＴＵＮＮＥＬＩＮＧ）メッセージを待つ。
２０７：  ＭＭＥは、１ｘＲＴＴネットワークとインタラクションし、１ｘＲＴＴネットワークは、失敗メッセージを戻し、ＭＭＥは、下りリンクＳ１  ＣＤＭＡ２０００トンネル直接伝送（ＤＬ  Ｓ１  ＣＤＭＡ２０００  ＴＵＮＮＥＬＩＮＧ）メッセージをｅＮｏｄｅＢに送信して、失敗指示を携帯する。
２０８：  ＭＭＥは、ＨＲＰＤネットワークとインタラクションし、ＨＲＰＤネットワークは、失敗メッセージを戻し、ＭＭＥは、下りリンクＳ１  ＣＤＭＡ２０００トンネル直接伝送（ＤＬ  Ｓ１  ＣＤＭＡ２０００  ＴＵＮＮＥＬＩＮＧ）メッセージをｅＮｏｄｅＢに送信して、失敗指示を携帯する。
２０９：  ｅＮｏｄｅＢは、ＭＭＥの２本の下りリンクＳ１  ＣＤＭＡ２０００トンネル直接伝送（ＤＬ  Ｓ１  ＣＤＭＡ２０００  ＴＵＮＮＥＬＩＮＧ）メッセージを受信し、ＨＲＰＤネットワークへのハンドオーバ及び１ｘＲＴＴネットワークへのｅＣＳＦＢの失敗を理解し、ｅＮｏｄｅＢは、ＲＲＣ  Ｃｏｎｎｅｃｔｉｏｎ  ＲｅｌｅａｓｅメッセージをＵＥに送信して、メッセージ中にターゲットＨＲＰＤネットワークセル及びターゲット１ｘＲＴＴネットワークセルのリダイレクト情報を携帯し、ＵＥのＣＳサービスをターゲット１ｘＲＴＴネットワークセルにリダイレクトし、同時にＵＥのＰＳサービスをターゲットＨＲＰＤネットワークセルにリダイレクトし、そのようなＵＥは、より速くＣＳサービスを開始し、同時にＰＳサービスを最大限に連続することもできる。
実施例３
【００２８】
図３に示すように、本実施の形態によるＥ−ＵＴＲＡＮから１ｘＲＴＴネットワークへのｅＣＳＦＢ並行ＰＳハンドオーバの場合、音声サービスフォールバックを実現するための方法であり、以下のステップを含む。
【００２９】
３０１：  測定に基づくｅＣＳＦＢ過程中において、ＵＥは、ｅＮｏｄｅＢに測定報告（Ｍｅａｓｕｒｅｍｅｎｔ  Ｒｅｐｏｒｔ）を報告する。
このステップは、任意選択のステップであり、ブラインドｅＣＳＦＢ過程であると、このステップは存在しない。
【００３０】
３０２：  ｅＮｏｄｅＢ方策は、ＵＥに対してＥ−ＵＴＲＡＮから１ｘＲＴＴネットワークへのｅＣＳＦＢ並行ＰＳハンドオーバプロセスを開始し、ＵＥにハンドオーバ準備（Ｈａｎｄｏｖｅｒ  Ｆｒｏｍ  ＥＵＴＲＡ  Ｐｒｅｐａｒａｔｉｏｎ  Ｒｅｑｕｅｓｔ）メッセージを送信する。
３０３：  ＵＥは、Ｈａｎｄｏｖｅｒ  Ｆｒｏｍ  ＥＵＴＲＡ  Ｐｒｅｐａｒａｔｉｏｎ  Ｒｅｑｕｅｓｔメッセージ中におけるｅＮｏｄｅＢ指示に基づいて、１ｘＲＴＴネットワークに発呼メッセージを開始し、ｅＮｏｄｅＢに上りリンクハンドオーバ直接伝送（ＵＬ  Ｈａｎｄｏｖｅｒ  Ｐｒｅｐａｒａｔｉｏｎ  Ｔｒａｎｓｆｅｒ）メッセージを送信する。
３０４：  ＵＥは、Ｈａｎｄｏｖｅｒ  Ｆｒｏｍ  ＥＵＴＲＡ  Ｐｒｅｐａｒａｔｉｏｎ  Ｒｅｑｕｅｓｔメッセージ中におけるｅＮｏｄｅＢの指示に基づいて、ＨＲＰＤネットワークにハンドオーバ要求を開始し、ｅＮｏｄｅＢに上りリンクハンドオーバ直接伝送（ＵＬ  Ｈａｎｄｏｖｅｒ  Ｐｒｅｐａｒａｔｉｏｎ  Ｔｒａｎｓｆｅｒ）メッセージを送信する。
３０５：  ｅＮｏｄｅＢは、ＵＥが１ｘＲＴＴネットワークに送信した上りリンクハンドオーバ直接伝送メッセージを受信し、ｅＮｏｄｅＢは、該メッセージをパススルーし、上りリンクＳ１  ＣＤＭＡ２０００トンネル直接伝送（ＵＰＬＩＮＫ  Ｓ１  ＣＤＭＡ２０００  ＴＵＮＮＥＬＩＮＧ）メッセージをＭＭＥに送信し、ｅＮｏｄｅＢは、タイマーを起動してＭＭＥの下りリンクＳ１  ＣＤＭＡ２０００トンネル直接伝送メッセージ（ＤＬ  Ｓ１  ＣＤＭＡ  ２０００  ＴＵＮＮＥＬＩＮＧ）メッセージを待つ。
３０６：  ｅＮｏｄｅＢは、ＵＥがＨＲＰＤネットワークに送信した上りリンクハンドオーバ直接伝送メッセージを受信し、ｅＮｏｄｅＢは、該メッセージをパススルーし、上りリンクＳ１  ＣＤＭＡ２０００トンネル直接伝送（ＵＰＬＩＮＫ  Ｓ１  ＣＤＭＡ２０００  ＴＵＮＮＥＬＩＮＧ）メッセージをＭＭＥに送信し、ｅＮｏｄｅＢは、タイマーを起動してＭＭＥの下りリンクＳ１  ＣＤＭＡ２０００トンネル直接伝送（ＤＬ  Ｓ１  ＣＤＭＡ２０００  ＴＵＮＮＥＬＩＮＧ）メッセージを待つ。
３０７：  ｅＮｏｄｅＢは、タイマー内において１ｘＲＴＴネットワークのＭＭＥが送信したＳ１  ＣＤＭＡ２０００トンネル直接伝送（ＤＬ  Ｓ１  ＣＤＭＡ２０００  ＴＵＮＮＥＬＩＮＧ）メッセージを受信していない。
３０８：  ＭＭＥは、ＨＲＰＤネットワークとインタラクションし、ＨＲＰＤネットワークは、成功を戻し、ＭＭＥは、下りリンクＳ１  ＣＤＭＡ２０００トンネル直接伝送（ＤＬ  Ｓ１  ＣＤＭＡ２０００  ＴＵＮＮＥＬＩＮＧ）メッセージをｅＮｏｄｅＢに送信して、成功指示を携帯する。
３０９：  ｅＮｏｄｅＢは、タイマー内においてＭＭＥのＨＲＰＤネットワークに関する下りリンクＳ１  ＣＤＭＡ２０００トンネル直接伝送メッセージを受信したが、ＭＭＥの１ｘＲＴＴネットワークに関するＳ１  ＣＤＭＡ２０００トンネル直接伝送メッセージを受信しておらず、ｅＮｏｄｅは、Ｍｏｂｉｌｉｔｙ  Ｆｒｏｍ  ＥＵＴＲＡ  Ｃｏｍｍａｎｄ（ハンドオーバコマンド）メッセージをＵＥに送信して、ＨＲＰＤネットワークからの情報を携帯し、同時にリダイレクト情報中にターゲット１ｘＲＴＴネットワークセルのリダイレクト情報を含め、ＵＥのＣＳサービスをターゲット１ｘＲＴＴネットワークセルにリダイレクトし、同時にＵＥのＰＳサービスはＨＲＰＤネットワークに継続され、そのようなＵＥは、より速くＣＳサービスを開始することができ、同時にＰＳサービスを継続することもできる。
【００３１】
ターゲット１ｘＲＴＴネットワークセルのリダイレクト情報は、ステップ３０１中にＵＥが報告した測定報告からのものである。
実施例４
【００３２】
図４に示すように、本実施の形態によるＥ−ＵＴＲＡＮから１ｘＲＴＴネットワークへのｅＣＳＦＢ並行ＰＳハンドオーバの場合、音声サービスフォールバックを実現するための方法であり、以下のステップを含む。
【００３３】
４０１：  測定に基づくｅＣＳＦＢ過程中において、ＵＥは、ｅＮｏｄｅＢに測定報告（Ｍｅａｓｕｒｅｍｅｎｔ  Ｒｅｐｏｒｔ）を報告する。
このステップは、任意選択のステップであり、ブラインドｅＣＳＦＢ過程であると、このステップは存在しない。
【００３４】
４０２：  ｅＮｏｄｅＢ方策は、ＵＥに対してＥ−ＵＴＲＡＮから１ＸＲＴＴネットワークへのｅＣＳＦＢ並行ＰＳハンドオーバプロセスを開始し、ＵＥにハンドオーバ準備（Ｈａｎｄｏｖｅｒ  Ｆｒｏｍ  ＥＵＴＲＡ  Ｐｒｅｐａｒａｔｉｏｎ  Ｒｅｑｕｅｓｔ）メッセージを送信する。
４０３：  ＵＥは、Ｈａｎｄｏｖｅｒ  Ｆｒｏｍ  ＥＵＴＲＡ  Ｐｒｅｐａｒａｔｉｏｎ  Ｒｅｑｕｅｓｔメッセージ中におけるｅＮｏｄｅＢの指示に基づいて、１ｘＲＴＴネットワークに発呼メッセージを開始し、ｅＮｏｄｅＢに上りリンクハンドオーバ直接伝送（ＵＬ  Ｈａｎｄｏｖｅｒ  Ｐｒｅｐａｒａｔｉｏｎ  Ｔｒａｎｓｆｅｒ）メッセージを送信する。
４０４：  ＵＥは、Ｈａｎｄｏｖｅｒ  Ｆｒｏｍ  ＥＵＴＲＡ  Ｐｒｅｐａｒａｔｉｏｎ  Ｒｅｑｕｅｓｔメッセージ中におけるｅＮｏｄｅＢの指示に基づいて、ＨＲＰＤネットワークにハンドオーバ要求を開始し、ｅＮｏｄｅＢに上りリンクハンドオーバ直接伝送（ＵＬ  Ｈａｎｄｏｖｅｒ  Ｐｒｅｐａｒａｔｉｏｎ  Ｔｒａｎｓｆｅｒ）メッセージを送信する。
４０５：  ｅＮｏｄｅＢは、ＵＥが１ｘＲＴＴネットワークに送信した上りリンクハンドオーバ準備メッセージを受信し、ｅＮｏｄｅＢは、該メッセージをパススルーし、上りリンクＳ１  ＣＤＭＡ２０００トンネル直接伝送（ＵＰＬＩＮＫ  Ｓ１  ＣＤＭＡ２０００  ＴＵＮＮＥＬＩＮＧ）メッセージをＭＭＥに送信し、ｅＮｏｄｅＢは、タイマーを起動してＭＭＥの下りリンクＳ１  ＣＤＭＡ２０００トンネル直接伝送（ＤＬ  Ｓ１  ＣＤＭＡ  ２０００  ＴＵＮＮＥＬＩＮＧ）メッセージを待つ。
４０６：  ｅＮｏｄｅＢは、ＵＥがＨＲＰＤネットワークに送信した上りリンクハンドオーバ準備メッセージを受信し、ｅＮｏｄｅＢは、該メッセージをパススルーし、上りリンクＳ１  ＣＤＭＡ２０００トンネル直接伝送メッセージ（ＵＰＬＩＮＫ  Ｓ１  ＣＤＭＡ２０００  ＴＵＮＮＥＬＩＮＧ）をＭＭＥに送信し、ｅＮｏｄｅＢは、タイマーを起動してＭＭＥの下りリンクＳ１  ＣＤＭＡ２０００トンネル直接伝送（ＤＬ  Ｓ１  ＣＤＭＡ２０００  ＴＵＮＮＥＬＩＮＧ）メッセージを待つ。
４０７：  ｅＮｏｄｅＢは、１ｘＲＴＴネットワークに関するＭＭＥが送信した下りリンクＳ１  ＣＤＭＡ２０００トンネル直接伝送（ＤＬ  Ｓ１  ＣＤＭＡ２０００  ＴＵＮＮＥＬＩＮＧ）メッセージを受信し、該メッセージは、ｅＣＳＦＢから１ｘＲＴＴネットワークへのハンドオーバが成功したことを指示する。
４０８：  ＭＭＥは、ＨＲＰＤネットワークとインタラクションし、ＨＲＰＤネットワークは、失敗メッセージを戻し、ＭＭＥは、下りリンクＳ１  ＣＤＭＡ２０００トンネル直接伝送（ＤＬ  Ｓ１  ＣＤＭＡ２０００  ＴＵＮＮＥＬＩＮＧ）をｅＮｏｄｅＢに送信して、失敗指示を携帯し、又はｅＮｏｄｅＢは、タイマー内において、ＭＭＥが送信した下りリンクＳ１  ＣＤＭＡ２０００トンネル直接伝送メッセージ（ＤＬ  Ｓ１  ＣＤＭＡ２０００  ＴＵＮＮＥＬＩＮＧ）を受信していない。
４０９：  ｅＮｏｄｅは、Ｍｏｂｉｌｉｔｙ  Ｆｒｏｍ  ＥＵＴＲＡ  ＣｏｍｍａｎｄメッセージをＵＥに送信し、メッセージ中に１ｘＲＴＴネットワークの情報を携帯し、同時にリダイレクト情報中にターゲットＨＲＰＤネットワークセルのリダイレクト情報を含み、ＵＥのＰＳサービスをターゲットＨＰＲＤネットワークセルにリダイレクトし、同時にＵＥのＣＳサービスは１ｘＲＴＴネットワークに継続され、そのようなＵＥは、より速くＣＳサービスを開始することができ、同時にＰＳサービスを継続することもできる。
【００３５】
ターゲットＨＲＰＤネットワークセルのリダイレクト情報は、ステップ１０１中においてＵＥが報告した測定に含む又はバックグランドに設定したＨＲＰＤネットワークセル共同被覆情報からのものである。
【００３６】
図５に示すように、本実施の形態は、判断ユニット及び失敗処理ユニットを備える音声サービスフォールバックを実現するための装置を更に提供しており、
判断ユニットは、高速音声サービスフォールバック（ｅＣＳＦＢ）の過程中において、ネットワーク側に処理の失敗が発生したかどうかを判断するように設置され、
失敗処理ユニットは、ネットワーク側に処理の失敗が発生した時、ユーザ装置に指示メッセージを送信し、ユーザ装置がターゲットセルにリダイレクトするように指示するように設置される。
【００３７】
失敗処理ユニットは、ユーザ装置が進化型地上無線アクセスネットワーク（Ｅ−ＵＴＲＡＮ）から１ｘ無線通信（１ｘＲＴＴ）ネットワークにフォールバックする過程中において、ネットワーク側に処理の失敗が発生した時、ユーザ装置に無線リソースコントロール（ＲＲＣ）接続リリースメッセージを送信し、ＲＲＣ接続リリースメッセージ中にターゲット１ｘＲＴＴネットワークセルのリダイレクト情報を携帯し、ユーザ装置がターゲット１ｘＲＴＴネットワークセルにリダイレクトするように指示するように設置される。
【００３８】
失敗処理ユニットは、ユーザ装置がＥ−ＵＴＲＡＮから１ｘＲＴＴネットワークにフォールバックする過程中及び並行パケット交換域（ＰＳ）ハンドオーバの過程中において、ネットワーク側にいずれも処理の失敗が発生した時、ユーザ装置にＲＲＣ接続リリースメッセージを送信し、ＲＲＣ接続リリースメッセージ中にターゲット１ｘＲＴＴネットワークセルのリダイレクト情報及びターゲット高速パケットデータ（ＨＲＰＤ）ネットワークセルのリダイレクト情報を携帯し、ユーザ装置が音声サービスをターゲット１ｘＲＴＴネットワークセルにリダイレクトし、ＰＳサービスをターゲットＨＲＰＤネットワークセルにリダイレクトするように指示するように設置される。
【００３９】
失敗処理ユニットは、ユーザ装置がＥ−ＵＴＲＡＮから１ｘＲＴＴネットワークにフォールバックする過程中においてネットワーク側に処理の失敗が発生し、並行ＰＳハンドオーバの過程中においてネットワーク側に処理の失敗が発生していない時、ユーザ装置にＭｏｂｉｌｉｔｙ  Ｆｒｏｍ  ＥＵＴＲＡ  Ｃｏｍｍａｎｄ（ハンドオーバコマンド）メッセージを送信し、Ｍｏｂｉｌｉｔｙ  Ｆｒｏｍ  ＥＵＴＲＡ  Ｃｏｍｍａｎｄメッセージ中にターゲット１ｘＲＴＴネットワークセルのリダイレクト情報及びＨＲＰＤネットワークの情報を携帯し、ユーザ装置が音声サービスをターゲット１ｘＲＴＴネットワークセルにリダイレクトするように指示し、且つ継続的に現在のＨＲＰＤネットワーク中にＰＳサービスを行うように設置される。
【００４０】
失敗処理ユニットは、ユーザ装置がＥ−ＵＴＲＡＮから１ｘＲＴＴネットワークにフォールバックする過程中においてネットワーク側に処理の失敗が発生しておらず、並行ＰＳハンドオーバの過程中においてネットワーク側に処理の失敗が発生した時、ユーザ装置にＭｏｂｉｌｉｔｙ  Ｆｒｏｍ  ＥＵＴＲＡ  Ｃｏｍｍａｎｄメッセージを送信し、Ｍｏｂｉｌｉｔｙ  Ｆｒｏｍ  ＥＵＴＲＡ  Ｃｏｍｍａｎｄメッセージ中にターゲットＨＲＰＤネットワークセルのリダイレクト情報及び１ｘＲＴＴネットワークの情報を携帯し、ユーザ装置がＰＳサービスをターゲットＨＲＰＤネットワークセルにリダイレクトするように指示し、且つ継続的に現在の１ｘＲＴＴネットワーク中に音声サービスを行うように設置される。
【００４１】
一般の当業者は、上記方法における全部又は一部のステップをプログラムによって関連ハードウェアに命令を出して完成させることができ、前記プログラムはコンピュータ読み取り可能な記憶媒体、例えば読取り専用メモリ、ディスク又は光ディスク等に記憶してもよいと理解することができる。選択肢として、上記実施例の全部又は一部のステップが１つ又は複数のＩＣにより実現されてもよい。それに対応して、上記実施例における各モジュール／ユニットはハードウェアの形式で実現されてもよく、ソフトウェア機能モジュールの形式で実現されてもよい。本発明の実施例はいかなる特定形式のハードウェアとソフトウェアの組合せに限らない。
【００４２】
明らかなように、当業者は、本発明の趣旨と範囲を逸脱しない場合に、本発明の実施例に対して各種の変更及び変形を行うことができる。このように、本発明の実施例に対するこれらの変更及び変形が本発明の請求の範囲及びその同等技術の範囲の内に属すると、本発明は、これらの変更及び変形を含むことを意図している。
【産業上の利用可能性】
【００４３】
本発明の実施例のようなＵＥは、最高速度で音声サービスを開始することができ、同時にデータサービスギャップの持続時間は減少され、ユーザ体験を向上させ、ｅＣＳＦＢ又はｅＣＳＦＢ並行ＰＳハンドオーバプロセスを最適化する。
【図１】
0006023320.tif 000002
【図２】
0006023320.tif 000003
【図３】
0006023320.tif 000004
【図４】
0006023320.tif 000005
【図５】
0006023320.tif 000006